(57)【要約】【課題】設計上の制約が少なく且つ簡単な構造で、レバーが嵌合位置へ向かう方向とは逆方向に回動するのを規制できるようにする。【解決手段】レバー式コネクタは、相手ハウジングに嵌合可能なハウジング１０と、ハウジング１０に対して初期位置と嵌合位置との間を回動可能に取り付けられるレバー６０とを備える。ハウジング１０は、固定面９１に固定される固定部２１と、固定部２１に一体に連結されて固定部２１を補強する補強部２４とを有している。補強部２４は、初期位置にあるレバー６０と当接することによってレバー６０が嵌合位置へ向かう方向とは逆方向に回動するのを規制するストッパとしての機能を兼ね備えている。【選択図】図１
2016051633.tif 000002
【特許請求の範囲】
【請求項１】
相手ハウジングに嵌合可能なハウジングと、
前記ハウジングに対して初期位置と嵌合位置との間を回動可能に取り付けられ、前記初期位置から前記嵌合位置への回動過程で前記相手ハウジングと係合しつつ両ハウジングの嵌合を進行させ、前記嵌合位置で前記両ハウジングを正規嵌合状態に至らすレバーとを備え、
前記ハウジングは、固定面に固定される固定部と、前記固定部に一体に連結されて前記固定部を補強する補強部とを有し、
前記補強部は、前記初期位置にある前記レバーと当接することによって前記レバーが前記嵌合位置へ向かう方向とは逆方向に回動するのを規制するストッパとしての機能を兼ね備えていることを特徴とするレバー式コネクタ。
【請求項２】
前記ハウジングは、前記固定部に一体に連続して延長した形態の補助部を有し、前記補強部は、前記固定部から前記補助部への延長方向と交差する方向に突出する形態とされていることを特徴とする請求項１記載のレバー式コネクタ。
【発明の詳細な説明】
【技術分野】
【０００１】
本発明は、レバー式コネクタに関する。
【背景技術】
【０００２】
特許文献１に記載のレバー式コネクタは、カバーが組み付けられる雌側ハウジングと、カバーに対して初期位置と回動完了位置（嵌合位置）との間を回動可能に取り付けられるレバーとを備えている。雌側ハウジングは、雄側ハウジング（相手ハウジング）に嵌合可能とされている。レバーは、初期位置で雄側ハウジングと係合し、初期位置から回動完了位置への回動過程で両ハウジングの嵌合を進め、回動完了位置にて両ハウジングを正規嵌合状態に至らすようになっている。また、カバーの側面には、第２規制部が突出して形成され、レバーには、円形孔が開口して形成されている。レバーは、初期位置にて円形孔に第２規制部が嵌ることにより、初期位置から嵌合位置へ向かう方向及びその逆方向への回動が規制されるようになっている。
【先行技術文献】
【特許文献】
【０００３】
【特許文献１】特開２００８−２７７８７号公報
【発明の概要】
【発明が解決しようとする課題】
【０００４】
上記従来のレバー式コネクタの場合、レバーが嵌合位置へ向かう方向とは逆方向に回動するのを規制する手段として、ハウジングに第２規制部という専用のストッパが設けられるため、その分、構成が複雑となり、且つ、第２規制部周辺の設計上の制約も多いという事情がある。
【０００５】
本発明は上記のような事情に基づいて完成されたものであって、設計上の制約が少なく且つ簡単な構造で、レバーが嵌合位置へ向かう方向とは逆方向に回動するのを規制することが可能なレバー式コネクタを提供することを目的とする。
【課題を解決するための手段】
【０００６】
本発明は、相手ハウジングに嵌合可能なハウジングと、前記ハウジングに対して初期位置と嵌合位置との間を回動可能に取り付けられ、前記初期位置から前記嵌合位置への回動過程で前記相手ハウジングと係合しつつ両ハウジングの嵌合を進行させ、前記嵌合位置で前記両ハウジングを正規嵌合状態に至らすレバーとを備え、前記ハウジングは、固定面に固定される固定部と、前記固定部に一体に連結されて前記固定部を補強する補強部とを有し、前記補強部は、前記初期位置にある前記レバーと当接することによって前記レバーが前記嵌合位置へ向かう方向とは逆方向に回動するのを規制するストッパとしての機能を兼ね備えているところに特徴を有する。
【発明の効果】
【０００７】
補強部が固定部を補強する機能とレバーの逆回転（レバーが嵌合位置へ向かう方向とは逆方向に回動すること）を規制する機能とを兼備するため、レバーの逆回転を規制する専用のストッパを設ける必要がなく、構成を簡単にすることができ、且つ、設計上の制約を少なくすることができる。
【図面の簡単な説明】
【０００８】
【図１】本発明の実施例に係るレバー式コネクタにおいて、レバーがハウジングに対して初期位置に留め置かれた状態を示す平面図である。
【図２】同じく図１の状態を示す底面図である。
【図３】同じく図１の状態を示す正面図である。
【図４】同じく図１の状態を示す側面図である。
【図５】ハウジングの平面図である。
【発明を実施するための形態】
【０００９】
本発明の好ましい実施形態を以下に示す。  
前記ハウジングは、前記固定部に一体に連続して延長した形態の補助部を有し、前記補強部は、前記固定部から前記補助部への延長方向と交差する方向に突出する形態とされている。仮に、レバーの逆回転を規制するストッパが独立した突起状の形態である場合には、ストッパを成形する金型の引き抜き方向と対向する位置に上記補助部が配置されることになり、補助部を成形するのが困難となる。その点、本構成の場合、補強部が固定部から補助部への延長方向と交差する方向に突出する形態とされ、補強部（ストッパ）が独立した突起状の形態ではないため、補助部を容易に成形することができる。
【００１０】
＜実施例＞
以下、実施例を図面に基づいて説明する。本実施例のレバー式コネクタは、合成樹脂製のハウジング１０と、ハウジング１０に対して初期位置と嵌合位置との間を回動可能に取り付けられる合成樹脂製のレバー６０とを備えている。ハウジング１０は、図示しない相手ハウジングと嵌合可能とされている。なお、以下の説明において、前後方向については、ハウジング１０が嵌合開始時に相手ハウジングと向き合う面側を前方とし、上下方向については、図３及び図４を基準とする。
【００１１】
図３に示すように、ハウジング１０の内部には、図示しない端子金具を挿通可能な複数の端子挿通孔１１が設けられている。ハウジング１０の左右両側壁１３には、端子金具に接続された図示しない電線を導出可能な一対の電線導出部１２が設けられている。図４に示すように、電線導出部１２は、側壁１３の後端に凹設されつつ側方に突出し、且つ、後方に開放される断面略Ｕ字形の屈曲壁状をなしている。図１、図２及び図５に示すように、ハウジング１０の上面両面の左右中央部には、一対の支軸１４が突設されている。支軸１４は、略円柱状をなし、レバー６０を回動可能に支持する。
【００１２】
図３に示すように、レバー６０は、上下方向に沿った連結部６１と、連結部６１の上下両端から互いに略平行に突出する一対のカム板６２とを有している。図１及び図２に示すように、カム板６２には、支軸１４を嵌合可能な軸受部６３が貫設されている。レバー６０は、ハウジング１０を跨ぐように装着され、軸受部６３に支軸１４を嵌合させた状態で、支軸１４を中心として回動可能とされている。また、カム板６２には、曲状に延出してカム板６２の外周縁に開口するカム溝６４が設けられている。
【００１３】
図１〜図３に示すように、レバー６０が初期位置にある場合には、連結部６１がハウジング１０の側方に突出して配置され、カム溝６４の入り口が前方に開放される。その状態で、ハウジング１０が相手ハウジングに浅く嵌合されると、カム溝６４の入り口に、図示しない相手ハウジングに設けられたカムフォロアが進入する。その状態で、連結部６１を摘みつつレバー６０が初期位置から嵌合位置へ向けて回動されると、カムフォロアがカム溝６４の溝面を摺動し、レバー６０と相手ハウジングとの間に作用するカム機構によって、両ハウジングの嵌合が進行する。嵌合位置では、カムフォロアがカム溝６４の奥端部に移行して、両ハウジングが正規嵌合状態に至らしめられる。こうして両ハウジングが正規嵌合状態に至らしめられることにより、ハウジング１０に収容された図示しない各端子金具が相手ハウジングに収容された図示しない相手端子金具と電気的に接続されるようになっている。
【００１４】
さて、図１、図３〜図５に示すように、ハウジング１０の上面の後端部には、固定部２１が突設されている。固定部２１は、ハウジング１０の上面の後端に沿って左右に延びる正面視略矩形の板状をなし（図３を参照）、ハウジング１０の上面の後端から上方へやや後傾しつつ突出する形態になっている（図４を参照）。そして、図３に示すように、固定部２１には、左右夫々の固定孔２２が貫設されている。両固定孔２２のうちの一方（図３の右側）の固定孔２２は、左右方向に長い長孔状の形態になっている。ここで、固定部２１は、取付部材９０の固定面９１（図４を参照）に沿って配置され、その状態で、固定孔２２に図示しないボルトが挿通されて締め付けられることにより、取付部材９０に固定されるようになっている。なお、固定部２１が取付部材９０に固定されることにより、電線導出部１２の後端開口が閉塞され、図示しない電線が固定面９１に沿って配索されるようになっている。
【００１５】
また、図１、図３及び図５に示すように、ハウジング１０の上面の後端部には、固定部２１の左右両端から側方へ一体に連続して延長した形態をなす一対の補助部２３が突設されている。補助部２３は、ハウジング１０の上面の端縁へ向けて次第に高さ寸法を減少させる正面視略三角形の板状をなし、固定部２１の前後両面に面一で段差なく連なる形態になっている。
【００１６】
さらに、図１、図３〜図５に示すように、ハウジング１０の上面の後端部には、固定部２１の前面に一体に連結されつつ固定部２１の前面から前方（固定部２１から補助部２３への延出方向と交差（詳細には直交）する方向）に突出する複数の補強部２４が突設されている。複数の補強部２４が固定部２１に一体に連結されることにより、固定部２１が補強され、ボルトの締め付けを行う際等に固定部２１が変形するのが回避されるようになっている。
【００１７】
具体的には、図１、図３及び図５に示すように、補強部２４は、ハウジング１０の上面の左右中央寄りの位置に配置される一対の中央側補強部２４Ａと、ハウジング１０の上面の左右両端寄りの位置に配置される一対の端側補強部２４Ｂとからなる。そして、補強部２４は、その前端部から後端にかけて次第に高さ寸法を増大させる側面視略三角形の板状をなし、正面視した場合に、両中央側補強部２４Ａ間に支軸１４が配置され、中央側補強部２４Ａと端側補強部２４Ｂとの間に固定孔２２が配置されている。端側補強部２４Ｂは、中央側補強部２４Ａよりも一回り大きく形成され、その前端が中央側補強部２４Ａの前端よりも前方に配置され、その上端が中央側補強部２４Ａの上端よりも上方に配置されている。中央側補強部２４Ａは、側面視において端側補強部２４Ｂの陰に隠れて見えなくなる（図４を参照）。そして、端側補強部２４Ｂの上端（後端）は固定部２１の上端よりも低い位置に配置されている。また、端側補強部２４Ｂは、固定部２１と補助部２３とが互いに連なる境界部分に連結されている。図１、図３及び図５に示すように、端側補強部２４Ｂの前端は、突リブ状のストッパ部２５として構成されている。ストッパ部２５は、端側補強部２４Ｂの上端斜面に段付き状に連成されている。
【００１８】
図２に示すように、ハウジング１０の下面の後端部には、左右方向に沿って扁平な形態をなす付設部２６が突設されている。付設部２６の左右両端部は、前方へ突き出る形態とされ、その前端が突リブ状の補助ストッパ部２７として構成されている。
【００１９】
図１に示すように、レバー６０が初期位置にある場合に、一方のカム板６２（図示上側のカム板６２）の後端縁が端側補強部２４Ｂのストッパ部２５と当接して配置される。したがって、レバー６０を初期位置から嵌合位置へ向かう方向とは逆方向（後方）に回動させようとしても、一方のカム板６２がストッパ部２５と当接することにより、レバー６０のそれ以上の回動が阻止される。つまり、本実施例によれば、補強部２４によってレバー６０の逆回転が規制される。また、図２に示すように、他方のカム板６２（図示下側のカム板６２）の後端縁が付設部２６の補助ストッパ部２７と当接可能に配置され、これによっても、レバー６０の逆回転が補助的に規制される。
【００２０】
一方、レバー６０を初期位置から嵌合位置へ向けて回動させると、一方のカム板６２がストッパ部２５から離間するとともに、他方のカム板６２が補助ストッパ部２７から離間し、これによってレバー６０が嵌合位置に円滑に至らしめられる。なお、本実施例の場合、ハウジング１０の支軸１４に対し、レバー６０を図示する場合と逆向きの姿勢（図１で連結部６１が下側に配置される姿勢）で取り付けることも可能であるが、その場合、上記のストッパ部２５及び補助ストッパ２７とは反対側に位置する別のストッパ部２５及び補助ストッパ部２７に、レバー６０が当接することにより、レバー６０の逆回転が規制される。
【００２１】
以上説明したように、本実施例によれば、補強部２４が固定部２１を補強する機能とレバー６０の逆回転を規制する機能とを兼ねるため、レバー６０の逆回転を規制する専用のストッパを設ける必要がなく、全体の構成を簡単にすることができ、且つ、設計上の制約を少なくすることができる。
【００２２】
また、ハウジング１０が固定部２１に一体に連続して延長した形態の補助部２３を有し、補強部２４が固定部２１から補助部２３への延長方向となる左右方向と交差する前方に突出する形態とされているため、補強部２４が独立して突出する形態とされる場合と違って、補強部２４を成形する金型の引き抜き方向と対向する位置に補助部２３が配置されることはなく、補助部２３を容易に成形することができる。
【００２３】
＜他の実施例＞
以下、他の実施例を簡単に説明する。  
（１）レバーはその全体が一枚板状をなす形態であってもよい。  
（２）レバーは、ラックピニオン又はてこを利用した倍力機構によって両ハウジングの嵌合を進める構造であってもよい。  
（３）レバーの連結部が補強部と当接することにより、レバーの逆回転が規制される構造であってもよい。  
（４）レバーが中央側補強部と当接することにより、レバーの逆回転が規制される構造であってもよい。  
（５）ハウジングは、カバーやケースを含む概念であり、このカバーやケースにレバーが回動可能に取り付けられる構造であってもよい。  
（６）レバーが初期位置にあるとき、レバーが補強部に当接せずに近接して配置され、レバーを逆回転させようとしたときに、レバーが補強部に当接して、レバーのそれ以上の回動が阻止される構成であってもよい。  
（７）ハウジングから補助ストッパ部を省略し、レバーの逆回転を規制する機能が補強部のストッパ部のみで賄われるようば構成であってもよい。
【符号の説明】
【００２４】
１０…ハウジング
２１…固定部
２３…補助部
２４…補強部
２４Ａ…中央側補強部
２４Ｂ…端側補強部
２５…ストッパ部
６０…レバー
６２…カム板
９０…取付部材
９１…固定面
【図１】
2016051633.tif 000003
【図２】
2016051633.tif 000004
【図３】
2016051633.tif 000005
【図４】
2016051633.tif 000006
【図５】
2016051633.tif 000007
【手続補正書】
【提出日】平成27年6月8日(2015.6.8)
【手続補正１】
【補正対象書類名】明細書
【補正対象項目名】００１１
【補正方法】変更
【補正の内容】
【００１１】
図３に示すように、ハウジング１０の内部には、図示しない端子金具を挿通可能な複数の端子挿通孔１１が設けられている。ハウジング１０の左右両側壁１３には、端子金具に接続された図示しない電線を導出可能な一対の電線導出部１２が設けられている。図４に示すように、電線導出部１２は、側壁１３の後端に凹設されつつ側方に突出し、且つ、後方に開放される断面略Ｕ字形の屈曲壁状をなしている。図１、図２及び図５に示すように、ハウジング１０の上下両面の左右中央部には、一対の支軸１４が突設されている。支軸１４は、略円柱状をなし、レバー６０を回動可能に支持する。